(57)【特許請求の範囲】
【請求項１】
遠隔医療システムにおいて遠隔医療サービスを提供する医師が医師資格を有していることを確認するシステムであって、
遠隔医療サービスを提供する者であるサービス提供者を特定する情報を記憶するサービス提供者情報記憶部と、医師資格に関連する情報を記憶する有効医師情報記憶部と、該サービス提供者が用いる医師情報部と、該遠隔医療サービスの提供を受ける患者が用いる患者情報部とを備え、
前記医師情報部は、
前記サービス提供者の現在の顔の画像を撮像するサービス提供者撮像部と、
前記サービス提供者の顔の画像及び該サービス提供者を特定する情報を含み、該サービス提供者が医師資格を有するか否かを示す情報を含まない媒体であるサービス提供者識別媒体を撮像する媒体撮像部と、
前記現在の顔の画像と前記媒体撮像部が撮像した画像に含まれる前記サービス提供者の顔の画像とに基づいて、該サービス提供者が前記サービス提供者識別媒体に表示されている人物であるか否かを判定する人物判定部と、
前記人物判定部による判定結果が肯定的である場合に、前記有効医師情報記憶部と通信して、前記サービス提供者識別媒体に含まれる情報に基づいて該有効医師情報記憶部に医師資格に関連する情報が記憶されているか否かを判定する有効判定部と、
前記有効判定部による判定結果が肯定的である場合に、前記サービス提供者が医師資格を有していることを示す情報である有資格情報を前記患者情報部に送信する有資格情報送信部とを有し、
前記患者情報部は、前記医師情報部から受信した情報を表示する表示部を備えていることを特徴とする資格確認システム。
【請求項２】
請求項１に記載の資格確認システムにおいて、
前記サービス提供者が勤務する病院の位置情報を含む情報である病院位置情報を記憶する病院位置記憶部を備え、
前記医師情報部は、
前記サービス提供者の前記医師情報部の現在の位置情報である現在位置情報を取得する医師位置情報取得部を有し、
前記有資格情報送信部は、前記現在位置情報に基づいて前記病院位置記憶部から病院位置情報を取得できた場合に、前記有資格情報を前記患者情報部に送信することを特徴とする資格確認システム。
【請求項３】
請求項１に記載の資格確認システムにおいて、
前記サービス提供者が勤務する病院の位置情報を含む情報である病院位置情報を記憶する病院位置記憶部を備え、
前記医師情報部は前記医師情報部の位置情報を所定の頻度で逐次位置情報として取得する医師位置情報取得部を有し、
前記逐次位置情報を時系列的に記憶する医師位置記憶部を備え、
前記有資格情報送信部は、前記逐次位置情報のうち、前記サービス提供者の前記医師情報部の逐次位置情報に基づいて前記病院位置記憶部から病院位置情報を取得でき、かつ該取得できた病院位置情報が示す位置における所定期間中の滞在回数の合計又は滞在時間の合計が所定以上である場合に、前記有資格情報を前記患者情報部に送信することを特徴とする資格確認システム。
【請求項４】
請求項２又は３に記載の資格確認システムにおいて、
前記有資格情報送信部は、前記病院位置記憶部から取得できた前記病院位置情報に基づく情報を、前記有資格情報とともに前記患者情報部に送信することを特徴とする資格確認システム。
【請求項５】
請求項１〜４の何れかに記載の資格確認システムにおいて、
前記サービス提供者撮像部は、前記サービス提供者の動作の映像を撮像するように構成され、
前記表示部は、前記医師情報部と前記患者情報部とが通信可能な状態において、前記サービス提供者の前記動作の映像を該医師情報部から受信して表示するとともに、前記医師情報部から受信した情報を表示するように構成されていることを特徴とする資格確認システム。
【請求項６】
請求項１〜５の何れかに記載の資格確認システムにおいて、
前記サービス提供者情報記憶部は、前記サービス提供者を特定する情報と該サービス提供者の医師免許証の画像とを関連付けて記憶しており、
前記有資格情報送信部は、前記サービス提供者の医師免許証の前記画像を、前記有資格情報とともに前記患者情報部に送信することを特徴とする資格確認システム。
【請求項７】
請求項１〜６の何れかに記載の資格確認システムにおいて、
前記有資格情報送信部は、前記媒体撮像部が撮像した画像の一部または全部と、前記現在の顔画像とを、前記有資格情報とともに前記患者情報部に送信することを特徴とする資格確認システム。
【請求項８】
請求項１〜７の何れかに記載の資格確認システムにおいて、
前記有効医師情報記憶部は、国または地方公共団体のサーバに備えられていることを特徴とする資格確認システム。
【請求項９】
請求項１〜８の何れかに記載の資格確認システムにおいて、
前記サービス提供者識別媒体は、国または地方公共団体が発行する証明書であって、所定の頻度にて更新することが義務付けられている証明書であることを特徴とする資格確認システム。
【発明の詳細な説明】
【技術分野】
【０００１】
本発明は、遠隔医療システムにおいて遠隔医療サービスを提供する医師が医師資格を有していることを確認するシステムに関する。
【背景技術】
【０００２】
従来、ユーザの資格を確認できる情報処理装置が知られている。（特許文献１参照）。
【０００３】
特許文献１の情報処理装置によれば、カード媒体を保有するカード保有者の資格を証明することができる。
【先行技術文献】
【特許文献】
【０００４】
【特許文献１】特許第６３３２９４６号公報
【発明の概要】
【発明が解決しようとする課題】
【０００５】
ところで遠隔医療では、患者が病院に出向いて診療を受ける場合と異なり、遠隔医療サービスを提供する人が医師の資格を有している者であることを、患者本人が確認することは難しい。
【０００６】
医師資格証（ＨＰＫＩカード）などの、医師資格を有していることを直接的に証明するカードを用いて、特許文献１の装置のように医師の資格を有している者であることを患者に確認させることも考えられるが、すべての医師がそのような媒体を有していないので現実的ではない。
【０００７】
本発明の目的は、かかる従来技術の課題に鑑み、医師資格を有していることを直接的に証明する媒体を用いずに、遠隔医療サービスを提供する人が医師の資格を有している者であることを精度よく確認し、当該確認結果を患者に提示することができる仕組みを提供することにある。
【課題を解決するための手段】
【０００８】
本発明の資格確認システムは、
遠隔医療システムにおいて遠隔医療サービスを提供する医師が医師資格を有していることを確認するシステムであって、
遠隔医療サービスを提供する者であるサービス提供者を特定する情報を記憶するサービス提供者情報記憶部と、医師資格に関連する情報を記憶する有効医師情報記憶部と、該サービス提供者が用いる医師情報部と、該遠隔医療サービスの提供を受ける患者が用いる患者情報部とを備え、
前記医師情報部は、
前記サービス提供者の現在の顔の画像を撮像するサービス提供者撮像部と、
前記サービス提供者の顔の画像及び該サービス提供者を特定する情報を含み、該サービス提供者が医師資格を有するか否かを示す情報を含まない媒体であるサービス提供者識別媒体を撮像する媒体撮像部と、
前記現在の顔の画像と前記媒体撮像部が撮像した画像に含まれる前記サービス提供者の顔の画像とに基づいて、該サービス提供者が前記サービス提供者識別媒体に表示されている人物であるか否かを判定する人物判定部と、
前記人物判定部による判定結果が肯定的である場合に、前記有効医師情報記憶部と通信して、前記サービス提供者識別媒体に含まれる情報に基づいて該有効医師情報記憶部に医師資格に関連する情報が記憶されているか否かを判定する有効判定部と、
前記有効判定部による判定結果が肯定的である場合に、前記サービス提供者が医師資格を有していることを示す情報である有資格情報を前記患者情報部に送信する有資格情報送信部とを有し、
前記患者情報部は、前記医師情報部から受信した情報を表示する表示部を備えていることを特徴とする。
【０００９】
本発明の資格確認システムでは、サービス提供者撮像部により、サービス提供者の現在の顔の画像が撮像されて、媒体撮像部によりサービス提供者が医師資格を有するか否かを示す情報を含まない媒体であるサービス提供者識別媒体が撮像される。
【００１０】
そして、現在の顔の画像と媒体撮像部が撮像した画像に含まれるサービス提供者の顔の画像とに基づいて、人物判定部によりサービス提供者がサービス提供者識別媒体に表示されている人物であるか否かが判定され、サービス提供者が医師資格を有するか否かが有効判定部により判定される。
【００１１】
これにより、医師資格を有するか否かを示す情報を含まない媒体を用いて遠隔医療サービスを提供する人が医師の資格を有している者であるか否かを判定するので、医師であることを直接的に証明する媒体を各サービス提供者が所持している必要がない。
【００１２】
また、当該判定結果が患者情報部の表示部により表示されるので、サービス提供者が医師であることを患者自身が確認できる。
【００１３】
このように、本発明の資格確認システムによれば、医師資格を有していることを直接的に証明する媒体を用いずに、遠隔医療サービスを提供する人が医師の資格を有している者であることを精度よく確認し、当該確認結果を患者に提示することができる仕組みを提供することができる。
【００１４】
本発明の資格確認システムにおいて、
前記サービス提供者が勤務する病院の位置情報を含む情報である病院位置情報を記憶する病院位置記憶部を備え、
前記医師情報部は、
前記サービス提供者の前記医師情報部の現在の位置情報である現在位置情報を取得する医師位置情報取得部を有し、
前記有資格情報送信部は、前記現在位置情報に基づいて前記病院位置記憶部から病院位置情報を取得できた場合に、前記有資格情報を前記患者情報部に送信することが好ましい。
【００１５】
サービス提供者が病院から遠隔医療サービスを提供していれば、当該サービス提供者が医師である蓋然性は高まる。
【００１６】
本発明の資格確認システムにおいては、病院位置記憶部によりサービス提供者が勤務する病院の位置情報を含む情報である病院位置情報が記憶されている。
【００１７】
また医師位置情報取得部により、サービス提供者の医師情報部の現在の位置情報が取得されて、有資格情報送信部により、当該現在の位置情報に基づいて病院位置記憶部から病院位置情報を取得できた場合に、有資格情報が患者情報部に送信される。
【００１８】
これにより、病院から遠隔医療サービスを提供しているか否かも考慮してサービス提供者が医師資格を有しているか否かが判定されるので、医師であることの判定の精度がより高い。
【００１９】
このように、本発明の資格確認システムによれば、医師資格を有していることを直接的に証明する媒体を用いずに、遠隔医療サービスを提供する人が医師の資格を有している者であることをより精度よく確認し、当該確認結果を患者に提示することができる仕組みを提供することができる。
【００２０】
本発明の資格確認システムにおいて、
前記サービス提供者が勤務する病院の位置情報を含む情報である病院位置情報を記憶する病院位置記憶部を備え、
前記医師情報部は前記医師情報部の位置情報を所定の頻度で逐次位置情報として取得する医師位置情報取得部を有し、
前記逐次位置情報を時系列的に記憶する医師位置記憶部を備え、
前記有資格情報送信部は、前記逐次位置情報のうち、前記サービス提供者の前記医師情報部の逐次位置情報に基づいて前記病院位置記憶部から病院位置情報を取得でき、かつ該取得できた病院位置情報が示す位置における所定期間中の滞在回数の合計又は滞在時間の合計が所定以上である場合に、前記有資格情報を前記患者情報部に送信することが好ましい。
【００２１】
サービス提供者が病院に勤務していることが確認できれば、当該サービス提供者が医師である蓋然性は高まる。
【００２２】
本発明の資格確認システムにおいては、病院位置記憶部によりサービス提供者が勤務する病院の位置情報を含む情報である病院位置情報が記憶されている。
【００２３】
また医師位置情報取得部により、医師情報部の位置情報が所定の頻度で逐次位置情報として取得される。そして、サービス提供者の医師情報部の逐次位置情報に基づいて病院位置記憶部から病院位置情報を取得でき、かつ該取得できた病院位置情報が示す位置における所定期間中の滞在回数の合計又は滞在時間の合計が所定以上である場合に、有資格情報送信部により有資格情報が患者情報部に送信される。
【００２４】
これにより、医師情報部の逐次位置情報に基づいてサービス提供者が病院に勤務していることが確認したうえでサービス提供者が医師資格を有しているか否かが判定されるので、医師であることの判定の精度がより高い。
【００２５】
このように、本発明の資格確認システムによれば、医師資格を有していることを直接的に証明する媒体を用いずに、遠隔医療サービスを提供する人が医師の資格を有している者であることをより精度よく確認し、当該確認結果を患者に提示することができる仕組みを提供することができる。
【００２６】
本発明の資格確認システムにおいて、
前記有資格情報送信部は、前記病院位置記憶部から取得できた前記病院位置情報に基づく情報を、前記有資格情報とともに前記患者情報部に送信することが好ましい。
【００２７】
本発明の資格確認システムにおいては、有資格情報送信部により、病院位置記憶部から取得できた病院位置情報に基づく情報が、有資格情報とともに患者情報部に送信される。
【００２８】
これにより、サービス提供者が医師資格を有していることの判定の根拠として、例えばサービス提供場所である病院又は勤務先の病院名などの情報を患者が確認できるので、患者の納得感が高まる。
【００２９】
このように、本発明の資格確認システムによれば、医師資格を有していることを直接的に証明する媒体を用いずに、遠隔医療サービスを提供する人が医師の資格を有している者であることを精度よく確認し、患者が高い納得感を得られるように当該確認結果を患者に提示することができる仕組みを提供することができる。
【００３０】
本発明の資格確認システムにおいて、
前記サービス提供者撮像部は、前記サービス提供者の動作の映像を撮像するように構成され、
前記表示部は、前記医師情報部と前記患者情報部とが通信可能な状態において、前記サービス提供者の前記動作の映像を該医師情報部から受信して表示するとともに、前記医師情報部から受信した情報を表示するように構成されていることが好ましい。
【００３１】
本発明の資格確認システムでは、サービス提供者撮像部によりサービス提供者の動作の映像が撮像される。
【００３２】
そして表示部により、医師情報部と患者情報部とが通信可能な状態において、医師情報部から受信したサービス提供者の動作の映像と有資格情報が併せて表示される。
【００３３】
これにより、サービス提供者が本人確認と資格確認を行う一連の動作が患者端末に表示されるので、サービス提供者のなりすましが防止でき、サービス提供者が医師の資格を有していることの患者の納得感が高まる。
【００３４】
このように、本発明の資格確認システムによれば、医師資格を有していることを直接的に証明する媒体を用いずに、遠隔医療サービスを提供する人が医師の資格を有している者であることを精度よく確認し、患者が高い納得感を得られるように当該確認結果を患者に提示することができる仕組みを提供することができる。
【００３５】
本発明の資格確認システムにおいて、
前記サービス提供者情報記憶部は、前記サービス提供者を特定する情報と該サービス提供者の医師免許証の画像とを関連付けて記憶しており、
前記有資格情報送信部は、前記サービス提供者の医師免許証の前記画像を、前記有資格情報とともに前記患者情報部に送信することが好ましい。
【００３６】
本発明の資格確認システムにおいては、サービス提供者情報記憶部により、サービス提供者を特定する情報と該サービス提供者の医師免許証の画像とが関連付けて記憶されている。
【００３７】
また有資格情報送信部により、サービス提供者の医師免許証の画像が、有資格情報とともに患者情報部に送信される。
【００３８】
これにより、サービス提供者が医師資格を有していることの判定の根拠として、サービス提供者の医師免許証の画像を患者が確認できるので、患者の納得感がより高まる。
【００３９】
このように、本発明の資格確認システムによれば、医師資格を有していることを直接的に証明する媒体を用いずに、遠隔医療サービスを提供する人が医師の資格を有している者であることを精度よく確認し、患者がより高い納得感を得られるように当該確認結果を患者に提示することができる仕組みを提供することができる。
【００４０】
本発明の資格確認システムにおいて、
前記有資格情報送信部は、前記前記媒体撮像部が撮像した画像の一部または全部と、前記現在の顔画像とを、前記有資格情報とともに前記患者情報部に送信することが好ましい。
【００４１】
本発明の資格確認システムにおいては、有資格情報送信部により、媒体撮像部が撮像した画像の一部または全部と現在の顔画像とが、有資格情報とともに患者情報部に送信される。
【００４２】
これにより、サービス提供者がサービス提供者識別媒体に表示されている人物であることの判定の根拠として、例えばサービス提供者識別媒体に表示されている顔の画像と現在の顔画像とを見比べて患者が確認できるので、患者の納得感がより高まる。
【００４３】
このように、本発明の資格確認システムによれば、医師資格を有していることを直接的に証明する媒体を用いずに、遠隔医療サービスを提供する人が医師の資格を有している者であることを精度よく確認し、患者がより高い納得感を得られるように当該確認結果を患者に提示することができる仕組みを提供することができる。
【００４４】
本発明の資格確認システムにおいて、
前記有効医師情報記憶部は、国または地方公共団体のサーバに備えられていることが好ましい。
【００４５】
本発明の資格確認システムにおいて有効医師情報記憶部は、国または地方公共団体のサーバに備えられている。
【００４６】
これにより、医師資格の有無が国または地方公共団体のサーバに記憶されている情報に基づいて判定されるので、医師資格が有効であることの判定の精度がより高まる。
【００４７】
このように、本発明の資格確認システムによれば、医師資格を有していることを直接的に証明する媒体を用いずに、遠隔医療サービスを提供する人が医師の資格を有している者であることをより精度よく確認し、当該確認結果を患者に提示することができる仕組みを提供することができる。
【００４８】
本発明の資格確認システムにおいて、
前記サービス提供者識別媒体は、国または地方公共団体が発行する証明書であって、所定の頻度にて更新することが義務付けられている証明書であることが好ましい。
【００４９】
本発明の資格確認システムにおいてサービス提供者識別媒体は、国または地方公共団体が発行する、所定の頻度にて更新することが義務付けられている証明書である。
【００５０】
これにより、サービス提供者がサービス提供者識別媒体に表示されている人物であることの判定が、所定の頻度にて更新することが義務付けられている公的な証明書に表示された顔画像を用いて行われるので、当該判定の制度がより高まる。
【００５１】
このように、本発明の資格確認システムによれば、医師資格を有していることを直接的に証明する媒体を用いずに、遠隔医療サービスを提供する人が医師の資格を有している者であることをより精度よく確認し、当該確認結果を患者に提示することができる仕組みを提供することができる。
【図面の簡単な説明】
【００５２】
【図１】本発明の資格確認システムの全体像を示すブロック図。
【図２Ａ】本発明の資格確認システムが処理に用いるデータの内容を示す図。
【図２Ｂ】本発明の資格確認システムが処理に用いるデータの内容を示す図。
【図２Ｃ】本発明の資格確認システムが処理に用いるデータの内容を示す図。
【図２Ｄ】本発明の資格確認システムが処理に用いるデータの内容を示す図。
【図３】本発明の資格確認システムの処理内容を示すフローチャート。
【図４Ａ】本発明の資格確認システムの処理内容を示すフローチャート。
【図４Ｂ】本発明の資格確認システムの処理内容を示すフローチャート。
【図５】本発明の資格確認システムの処理内容を示すフローチャート。
【図６】本発明の資格確認システムの表示内容を示す図。
【発明を実施するための形態】
【００５３】
図を用いて、本実施形態の資格確認システムについて説明する。なお同一の構成については、同一の符号を付して説明を省略することがある。
【００５４】
本実施形態の資格確認システムは、例えば遠隔医療サーバ１０、有効医師情報サーバ３０、医師情報部５０、患者情報部７０を備えている。遠隔医療サーバ１０、有効医師情報サーバ３０及び患者情報部７０と医師情報部５０との間は、通信ネットワーク９０により相互に通信可能に接続されている。
【００５５】
遠隔医療サーバ１０は、遠隔医療サーバ制御部１００、遠隔医療サーバ記憶部１２０を有する、例えばコンピュータである。
【００５６】
遠隔医療サーバ制御部１００は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。遠隔医療サーバ制御部１００は、所定のプログラムを読み込んで実行することにより所定の処理を実行する。
【００５７】
遠隔医療サーバ記憶部１２０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。遠隔医療サーバ記憶部１２０は、サービス提供者ＤＢ（データベース）１２１を記憶し、あるいはさらに病院位置ＤＢ１２３、医師位置ＤＢ１２５の他、処理に必要な情報を記憶している。すなわち本実施形態においては、遠隔医療サーバ記憶部１２０がサービス提供者情報記憶部、病院位置記憶部、医師位置記憶部として機能する。
【００５８】
サービス提供者ＤＢ１２１は、遠隔医療サービスを提供する者であるサービス提供者Ｄｒを特定する情報として、例えば図２Ａに示すように、サービス提供者ＩＤ１２１１、氏名１２１３、住所１２１５、性別１２１７、生年月日１２１９、医師資格の登録番号１２２１、医師資格の登録年月日である登録年月日１２２３、あるいはさらに医師免許証の画像１２２５をサービス提供者Ｄｒを特定する情報と関連付けて記憶している。
【００５９】
病院位置ＤＢ１２３は、サービス提供者Ｄｒが勤務する病院の位置情報を含む情報である病院位置情報として、例えば図２Ｂに示すように、病院ＩＤ１２３１、病院緯度・経度１２３３、病院名１２３５を記憶している。
【００６０】
医師位置ＤＢ１２５は、各医師情報部５０の位置情報を所定の頻度取得した逐次位置情報として、例えば図２Ｃに示すように、サービス提供者ＩＤ１２５１、位置情報の取得日時１２５３、取得された緯度・経度１２５５を時系列的に記憶している。
【００６１】
有効医師情報サーバ３０、有効医師情報サーバ制御部３００、有効医師情報サーバ記憶部３２０を有する、例えばコンピュータである。
【００６２】
有効医師情報サーバ制御部３００は、ＣＰＵ等の演算処理装置、メモリ、及びＩ／Ｏデバイスなどにより構成されている。有効医師情報サーバ制御部３００は、所定のプログラムを読み込んで実行することにより所定の処理を実行する。
【００６３】
有効医師情報サーバ記憶部３２０は、例えばＲＯＭ、ＲＡＭ、ＨＤＤ等の記憶装置により構成されている。有効医師情報サーバ記憶部３２０は、有効医師情報ＤＢ３２１の他、処理に必要な情報を記憶している。すなわち本実施形態においては、有効医師情報サーバ記憶部３２０が有効医師情報記憶部として機能する。
【００６４】
なお有効医師情報サーバ３０は、国または地方公共団体のサーバに備えられていることが好ましい。
【００６５】
有効医師情報ＤＢ３２１は、有効な医師資格に関連する情報として、例えば図２Ｄに示すように、有効な医師資格の登録番号３２１１、性別３２１３、氏名３２１５、生年月日３２１６、医師資格の登録年月日３２１９を記憶している。
【００６６】
医師情報部５０は、サービス提供者Ｄｒが遠隔医療サービスを提供する際に用いる例えばコンピュータであり、医師情報部制御部５００、サービス提供者撮像部５２０、媒体撮像部５４０、医師情報部表示部５６０を有している。
【００６７】
医師情報部制御部５００は、ＣＰＵ等の演算処理装置、メモリ、及びＩ／Ｏデバイスなどにより構成されている。医師情報部制御部５００は、所定のプログラムを読み込んで実行することにより人物判定部５０１、有効判定部５０３、有資格情報送信部５０５として、あるいはさらに医師位置情報取得部５０７として機能する。
【００６８】
人物判定部５０１は、サービス提供者撮像部５２０が撮像したサービス提供者Ｄｒの現在の顔の画像と媒体撮像部５４０が撮像した画像に含まれるサービス提供者Ｄｒの顔の画像とに基づいて、該サービス提供者Ｄｒがサービス提供者識別媒体Ｍに表示されている人物であるか否かを判定する。
【００６９】
有効判定部５０３は、人物判定部５０１による判定結果が肯定的である場合に、有効医師情報サーバ３０の有効医師情報サーバ記憶部３２０と通信して、サービス提供者識別媒体Ｍに含まれる情報に基づいて有効医師情報サーバ記憶部３２０に、サービス提供者Ｄｒについての医師資格に関連する情報が記憶されているか否かを判定する。
【００７０】
有資格情報送信部５０５は、有効判定部５０３による判定結果が肯定的である場合に、サービス提供者Ｄｒが医師資格を有していることを示す情報である有資格情報を患者情報部７０に送信する。
【００７１】
医師位置情報取得部５０７は、例えば医師情報部５０に搭載されたＧＰＳを用いて、医師情報部５０の現在の位置情報である現在位置情報を取得する。あるいは例えば医師位置情報取得部５０７は、医師情報部５０の位置情報を所定の頻度で逐次位置情報として取得して、遠隔医療サーバ１０の医師位置ＤＢ１２５に記憶させる。
【００７２】
サービス提供者撮像部５２０は、サービス提供者Ｄｒの現在の顔の画像を静止画又は動画として撮像する例えばカメラである。
【００７３】
媒体撮像部５４０は、サービス提供者識別媒体を撮像する例えばスキャナである。なお、サービス提供者撮像部５２０が媒体撮像部５４０としても機能するように構成されていてもよい。
【００７４】
医師情報部表示部５６０は、必要な情報をサービス提供者Ｄｒに向けて表示する例えばディスプレイである。
【００７５】
患者情報部７０は、患者Ｐｔが遠隔医療サービスを受ける際に用いる例えばスマートフォン、タブレット端末、コンピュータであり、患者情報部制御部７００、患者情報部表示部７２０を有している。
【００７６】
患者情報部制御部７００は、ＣＰＵ等の演算処理装置、メモリ、及びＩ／Ｏデバイスなどにより構成されている。患者情報部制御部７００は、所定のプログラムを読み込んで実行することにより所定の処理を実行する。
【００７７】
患者情報部表示部７２０は、医師情報部５０から受信した有資格情報などの情報を表示するディスプレイである。
【００７８】
サービス提供者識別媒体Ｍは、サービス提供者Ｄｒが医師資格を有するか否かを示す情報を含まない媒体であり、サービス提供者Ｄｒの顔の画像及び該サービス提供者を特定する情報を含んでいる媒体である。サービス提供者識別媒体Ｍとしては、各種の顔写真付きの身分証明書が用いられてよいが、例えば自動車運転免許証、マイナンバーカードなどの、国または地方公共団体が発行する証明書であって、所定の頻度にて更新することが義務付けられている証明書であることが好ましい。
【００７９】
次に、図３を用いて本実施形態の資格確認システムの処理内容について説明する。
【００８０】
＜処理の概要＞
本実施形態の資格確認システムによる処理は、例えば医師情報部５０と患者情報部７０との通信が確立されることにより開始される（図３／Ｓ１０、Ｓ１５）。まず医師情報部５０のサービス提供者撮像部５２０は、サービス提供者Ｄｒの現在の顔の画像を撮像する（図３／Ｓ２０）。
【００８１】
次に医師情報部５０の媒体撮像部５４０は、サービス提供者識別媒体Ｍを撮像する（図３／Ｓ３０）。そして人物判定部５０１は、サービス提供者ＤＲがサービス提供者識別媒体Ｍに表示されている人物であるか否かを判定する（図３／Ｓ４０）。
【００８２】
すなわち例えば人物判定部５０１は、媒体撮像部５４０が撮像したサービス提供者識別媒体Ｍの画像からサービス提供者Ｄｒの顔の画像を抽出して、当該抽出された顔の画像と、サービス提供者撮像部５２０が撮像した現在の顔画像とを比較して、その類似度に基づいてサービス提供者ＤＲがサービス提供者識別媒体Ｍに表示されている人物であるか否かを判定する。
【００８３】
当該判定が肯定的である場合（図３／Ｓ４０：Ｙｅｓ）に有効判定部５０３は、サービス提供者Ｄｒの医師資格が有効であるかどうかを判定するための一連の処理である有効判定処理（図３／Ｓ５０）を実行する。有効判定処理の内容については後述する。
【００８４】
そして当該判定が肯定的である場合（図３／Ｓ６０：Ｙｅｓ）に有資格情報送信部５０５は、サービス提供者が医師資格を有していることを示す情報である有資格情報を患者情報部７０に送信する（図３／Ｓ７０）。
【００８５】
なお有資格情報送信部５０５は、サービス提供者Ｄｒの医師免許証の画像をサービス提供者ＤＢ１２１から取得して、有資格情報とともに患者情報部７０に送信するように構成されていてもよい。
【００８６】
さらに、有資格情報送信部５０５は、媒体撮像部５４０により撮像された画像の一部（例えば顔の画像の部分など）または全部と、サービス提供者撮像部５２０により撮像されたサービス提供者Ｄｒの現在の顔画像とを、有資格情報とともに患者情報部７０に送信するように構成されていてもよい。
【００８７】
患者情報部７０は有資格情報を受信し（図３／Ｓ８０）、当該受信した有資格情報を含む情報を患者情報部表示部７２０に表示して、資格確認のための一連の処理が終了する。
【００８８】
なお、図３／Ｓ４０又は図３／Ｓ６０の判定が否定的である場合は、例えば医師情報部表示部５６０にその旨が表示されて、医師情報部５０は処理を終了する。
【００８９】
＜有効判定処理＞
次に、図４を用いて有効判定処理の内容について説明する。処理を開始するとまず医師情報部５０の有効判定部５０３は、例えば媒体撮像部５４０が撮像したサービス提供者識別媒体Ｍの画像から、サービス提供者Ｄｒの氏名及び住所に関する情報を抽出して（図４／Ｓ５０１）、抽出した情報を用いて遠隔医療サーバ１０のサービス提供者ＤＢ１２１にアクセスする（図４／Ｓ５０３）。
【００９０】
そして遠隔医療サーバ１０は、医師情報部５０からのアクセスの際に受け付けたサービス提供者Ｄｒの氏名及び住所に関する情報に基づいてサービス提供者ＤＢ１２１に記憶されているサービス提供者Ｄｒの性別１２１７、生年月日１２１９、医師資格の登録番号１２２１および登録年月日１２２３を取得して（図４／Ｓ５０５）、医師情報部５０に送信する（図４／Ｓ５０７）。
【００９１】
医師情報部５０の有効判定部５０３は、サービス提供者Ｄｒの性別、生年月日、医師資格の登録番号および登録年月日を受信して（図４／Ｓ５０９）、受信した情報を用いて有効医師情報サーバ３０の有効医師情報ＤＢ３２１にアクセスする（図４／Ｓ５１１）。
【００９２】
すなわち例えば有効判定部５０３は、図４／Ｓ５０１にて抽出したサービス提供者Ｄｒの氏名と、Ｓ５０９で受信したサービス提供者Ｄｒの性別、生年月日、医師資格の登録番号および登録年月日に基づいて、有効医師情報サーバ３０の有効医師情報ＤＢ３２１にサービス提供者Ｄｒについての医師資格に関連する情報が記憶されているか否かを問い合わせる。
【００９３】
当該問い合わせを受け付けた有効医師情報サーバ３０は、有効医師情報ＤＢ３２１にサービス提供者Ｄｒについての医師資格に関連する情報が記憶されているか否かを判定して（図４／Ｓ５１３）、当該判定結果を医師情報部５０に送信する（図４／Ｓ５１５）。
【００９４】
当該判定結果を受信した医師情報部５０の有効判定部５０３は、有効医師情報ＤＢ３２１にサービス提供者Ｄｒについての医師資格に関連する情報が記憶されている場合には（図４／Ｓ５１７：Ｙｅｓ）、サービス提供者Ｄｒの医師資格は有効であると判定して（図４／Ｓ７１０）処理を終了する。
【００９５】
あるいはさらに医師情報部５０の有効判定部５０３は、位置情報に基づく医師資格の有効性判定処理（図４／Ｓ６００）を行って、位置情報に基づいて医師資格は有効と判定された場合（図４／Ｓ６５０：Ｙｅｓ）にサービス提供者Ｄｒの医師資格は有効であると判定するように構成されていてもよい。この場合の処理内容について以下に説明する。
【００９６】
＜位置情報に基づく医師資格の有効性判定処理＞
位置情報に基づく医師資格の有効性判定処理に先立って、医師位置情報取得部５０７は、医師情報部５０の位置情報を所定の頻度で逐次位置情報として取得して、遠隔医療サーバ１０の医師位置ＤＢ１２５に記憶させている。
【００９７】
位置情報に基づく医師資格の有効性判定処理を開始すると医師位置情報取得部５０７は、医師情報部５０に搭載されたＧＰＳを用いて、医師情報部５０の現在の位置情報である現在位置情報を取得する（図５／Ｓ６０１）。
【００９８】
そして有効判定部５０３は、取得された位置情報を用いて遠隔医療サーバ１０の病院位置ＤＢ１２３にアクセスする（図５／Ｓ６０３）。
【００９９】
遠隔医療サーバ１０は、医師情報部５０からのアクセスの際に受け付けた位置情報が病院位置ＤＢ１２３に記憶されているか否かを判定して（図５／Ｓ６０５）、当該判定結果を医師情報部５０に送信する（図５／Ｓ６０７）。
【０１００】
遠隔医療サーバ１０は、例えば医師情報部５０からのアクセスの際に受け付けた位置情報が病院位置ＤＢ１２３に記憶されている病院の位置情報から所定の距離の範囲に含まれる場合に、医師情報部５０からのアクセスの際に受け付けた位置情報が病院位置ＤＢ１２３に記憶されていると判定する。
【０１０１】
なおこのとき医師情報部５０からのアクセスの際に受け付けた位置情報が病院位置ＤＢ１２３に記憶されていた場合には、対応する病院名１２３５を合わせて医師情報部５０に送信するように遠隔医療サーバ１０が構成されていてもよい。
【０１０２】
そして有効判定部５０３は、病院位置ＤＢに現在の位置情報が記憶されている場合（図５／Ｓ６０９：Ｙｅｓ）には、位置情報に基づく医師資格の有効性があると判定して（図５／Ｓ６２３）処理を終了する。
【０１０３】
一方、病院位置ＤＢ１２３に現在の位置情報が記憶されていない場合（図５／Ｓ６０９：Ｎｏ）には、例えば医師情報部５０に記憶されているサービス提供者Ｄｒのサービス提供者ＩＤを用いて遠隔医療サーバ１０の医師位置ＤＢ１２５にアクセスする（図５／Ｓ６１１）。
【０１０４】
遠隔医療サーバ１０は、医師位置ＤＢ１２５に記憶されている逐次位置情報から、医師情報部５０によるアクセスの際に受け付けたサービス提供者ＩＤに関する逐次位置情報を抽出し（図５／Ｓ６１３）、該抽出された逐次位置情報に含まれる緯度・経度１２５５に基づいて病院位置ＤＢ１２３から病院位置情報を取得でき、かつ該取得できた病院位置情報が示す位置における所定期間中の滞在回数の合計又は滞在時間の合計が所定以上であるか否かを判定する（図５／Ｓ６１５）。
【０１０５】
このとき例えば遠隔医療サーバ１０は、抽出された逐次位置情報に含まれる緯度・経度１２５５が病院位置ＤＢ１２３に記憶されている病院の位置情報から所定の距離の範囲に含まれる場合に、抽出された逐次位置情報に含まれる緯度・経度１２５５に基づいて病院位置ＤＢ１２３から病院位置情報を取得できたと判定する。
【０１０６】
さらに遠隔医療サーバ１０は、病院位置情報を取得できた緯度・経度１２５５に関する逐次位置情報を上記にて抽出された逐次位置情報から選択して集計し、当該集計結果に基づいて、取得できた病院位置情報が示す位置における所定期間中の滞在回数の合計又は滞在時間の合計が所定以上であるか否かを判定する。
【０１０７】
その後に遠隔医療サーバ１０は、当該判定結果を医師情報部５０に送信する（図５／Ｓ６１７）。なおこのとき所定期間中の滞在回数の合計又は滞在時間の合計が所定以上であると判定された病院の病院名１２３５を合わせて医師情報部５０に送信するように遠隔医療サーバ１０が構成されていてもよい。
【０１０８】
そして有効判定部５０３は、遠隔医療サーバ１０から受信した判定結果が肯定的である場合には（図５／Ｓ６１９：Ｙｅｓ）、位置情報に基づく医師資格の有効性があると判定して（図５／Ｓ６２３）処理を終了する。
【０１０９】
一方当該判定結果が否定的である場合（図５／Ｓ６１９：Ｎｏ）に有効判定部５０３は、位置情報に基づく医師資格の有効性がないと判定して（図５／Ｓ６２１）処理を終了する。
【０１１０】
図６は、本実施形態の資格確認システムにおける患者情報部７０の表示内容を示している。図６に示されているのは、医師情報部５０による医師資格の有効性が確認された後の状態である。左の図は病院位置ＤＢ１２３に現在の位置情報が記憶されている場合（図５／Ｓ６０９：Ｙｅｓ）の表示例であり、右の図は逐次位置情報に基づいて病院位置ＤＢ１２３から病院位置情報を取得でき、かつ該取得できた病院位置情報が示す位置における所定期間中の滞在時間の合計が所定以上である場合（図５／Ｓ６１９：Ｙｅｓ）の表示例である。
【０１１１】
患者情報部表示部７２０には、サービス提供者撮像部５２０により撮像されたサービス提供者Ｄｒの現在の顔の画像Ｆａがリアルタイムで表示されるとともに、医師資格の有効性が確認済みであることを示す情報Ｒｅが表示されている。
【０１１２】
また、図６の左の図においては、位置情報に基づく医師資格の有効性判定の結果として得られた医師情報部５０の現在位置を示す情報Ｐｒｅとしての病院名が表示されており、右の図においては、所定期間中（直近１週間）の滞在時間の合計が所定以上であると判定された病院の病院名と滞在時間とを示す情報Ｐｓｔが表示されている。
【０１１３】
なお、有資格情報送信部５０５が、サービス提供者Ｄｒの医師免許証の画像をサービス提供者ＤＢ１２１から取得して、有資格情報とともに患者情報部７０に送信するように構成されている場合には、例えば患者情報部表示部７２０には、サービス提供者Ｄｒの医師免許証の画像を表示させるためのボタンＢ１が表示される。
【０１１４】
当該ボタンＢ１がタップ等されることにより、患者情報部表示部７２０にサービス提供者Ｄｒの医師免許証の画像が表示される。
【０１１５】
さらに、有資格情報送信部５０５が、媒体撮像部５４０により撮像された画像の一部または全部と、サービス提供者撮像部５２０により撮像されたサービス提供者Ｄｒの現在の顔画像とを、有資格情報とともに患者情報部７０に送信するように構成されている場合には、例えば患者情報部表示部７２０には、媒体撮像部５４０により撮像された画像に含まれる顔の画像と、サービス提供者撮像部５２０により撮像されたサービス提供者Ｄｒの現在の顔画像と表示させるためのボタンＢ２が表示される。
【０１１６】
当該ボタンＢ２がタップ等されることにより、患者情報部表示部７２０に例えば媒体撮像部５４０が撮像した画像に含まれる顔の画像の部分と、サービス提供者Ｄｒの現在の顔画像とが同時に、重ね合わせて、または切り替えて表示される。
【０１１７】
以上述べてきたように、本発明の資格確認システムによれば、医師資格を有していることを直接的に証明する媒体を用いずに、遠隔医療システムにおいて遠隔医療サービスを提供する人が医師の資格を有している者であることを精度よく確認し、当該確認結果を患者に提示することができる仕組みを提供することができる。
【０１１８】
以上、本発明の実施形態について説明したが、本発明はこれに限定されない。本発明の趣旨を逸脱しない範囲で、種々の変更が可能である。
【０１１９】
例えばサービス提供者撮像部５２０は、サービス提供者Ｄｒの動作の映像を撮像するように構成されており、患者情報部表示部７２０は、医師情報部５０と患者情報部７０とが通信可能な状態において、サービス提供者Ｄｒが医師情報部５０を用いて自身の医師資格が有効であることを確認する一連の動作の映像を医師情報部５０から受信して表示するとともに、医師情報部５０から受信した有資格情報を表示するように構成されていてもよい。
【０１２０】
あるいは例えば上記においてはサービス提供者ＤＢ１２１、病院位置ＤＢ１２３、医師位置ＤＢ１２５が遠隔医療サーバ１０に格納されている構成について説明したが、これに限定されない。例えばサービス提供者ＤＢ１２１、病院位置ＤＢ１２３、医師位置ＤＢ１２５の一部または全部が医師情報部５０の記憶領域に格納されていてもよい。
【０１２１】
また、位置情報に基づく医師資格の有効性判定処理を行わない場合には、医師位置ＤＢ１２５、医師位置情報取得部５０７は省略されてよい。
【符号の説明】
【０１２２】
１２１…サービス提供者ＤＢ、１２３…病院位置ＤＢ、１２５…医師位置ＤＢ、３２１…有効医師情報ＤＢ、５０…医師情報部、５０１…人物判定部、５０３…有効判定部、５０５…有資格情報送信部、５０７…医師位置情報取得部、５２０…サービス提供者撮像部、５４０…媒体撮像部、７０…患者情報部、７２０…患者情報部表示部。
【要約】      （修正有）【課題】医師資格を有していることを直接的に証明する媒体を用いずに、遠隔医療サービスを提供する人が医師の資格を有している者であることを精度よく確認し、当該確認結果を患者に提示するシステムを提供する。【解決手段】資格確認システムにおいて、医師情報部５０はサービス提供者Ｄｒの顔画像と、サービス提供者Ｄｒが医師資格を有するか否かを示す情報を含まないサービス提供者識別媒体Ｍの画像とに基づいて、サービス提供者Ｄｒがサービス提供者識別媒体Ｍに表示されている人物であるか否かを判定し、判定結果が肯定的である場合に、有効医師情報記憶部３２１に医師資格に関連する情報が記憶されているか否かを判定し、当該判定結果が肯定的である場合に、サービス提供者Ｄｒが医師資格を有していることを示す情報である有資格情報を患者情報部７０に送信する。患者情報部７０は、医師情報部５０から受信した有資格情報を表示する。【選択図】図１【図１】
0006693636.tif 000002
【図２Ａ】
0006693636.tif 000003
【図２Ｂ】
0006693636.tif 000004
【図２Ｃ】
0006693636.tif 000005
【図２Ｄ】
0006693636.tif 000006
【図３】
0006693636.tif 000007
【図４Ａ】
0006693636.tif 000008
【図４Ｂ】
0006693636.tif 000009
【図５】
0006693636.tif 000010
【図６】
0006693636.tif 000011